(57)【要約】  本発明は無線通信方法に関し、１／３サブキャリアゾーンでの通信品質測定結果を、ポーリングによるＣＱＩＣＨ（CQICH-POL）を通知チャネルとして使用するように、端末局に割り当てを設定し（Ｓ１）、基地局では、CQICH-POLで通知された１／３サブキャリアゾーンの通信品質測定結果を受信する度に、通知された通信品質測定結果の判定処理を行う（Ｓ２）。この処理で通信品質が良いと判定された場合は、全サブキャリアゾーンでの通信品質測定結果を、アップリンクフレームのＭＡＣメッセージ領域を使用して、通信品質通知チャネルCQICH-RSPで通知するようにリクエストメッセージCQICH-REQを送る通知要求を行う（Ｓ３）。
2010086975.tif 000002
【特許請求の範囲】
【請求項１】
セルの端縁部に相当する第１のゾーンに存在する端末局（２１０）に対する下り通信においては、ダウンリンクフレーム中の全サブキャリアの３分の１を含むダウンリンク１／３サブキャリアゾーン（４００）を使用してデータの送信を行い、基地局（２０１，２０２）の近傍に相当する第２のゾーンに存在する端末局に対する下り通信においては、前記ダウンリンクフレーム中の全サブキャリアを含むダウンリンク全サブキャリアゾーン（４０２）を使用してデータの送信を行い、
前記ダウンリンク１／３サブキャリアゾーンおよび／または前記ダウンリンク全サブキャリアゾーンを使用して送信された前記データに対して前記端末局でそれぞれ測定した第１および／または第２の通信品質測定結果を前記基地局に通知し、前記基地局において、前記第１および／または第２の通信品質測定結果に基づいて、次に送信すべきデータを、前記ダウンリンク１／３サブキャリアゾーンおよび前記ダウンリンク全サブキャリアゾーンの何れに割り当てるかを決定する無線通信方法であって、
前記第１の通信品質測定結果については、前記端末局から一定周期で前記基地局に通知を行い、
前記基地局は、前記第１の通信品質測定結果が良好な場合は、前記第２の通信品質測定結果の通知を前記端末局に要求する、無線通信方法。
【請求項２】
前記第１の通信品質測定結果は、前記端末局から前記基地局に対する上り通信のアップリンクフレーム中のファストフィードバック領域に設定された、通信品質情報を送るためのＣＱＩＣＨ（Channel Quality Information CHannel）を使用して通知され、
前記第２の通信品質測定結果は、前記アップリンクフレーム中のＭＡＣ（Medium Access Control）メッセージを使用して通知される、請求項１記載の無線通信方法。
【請求項３】
セルの端縁部に相当する第１のゾーンに存在する端末局（２１０）に対する下り通信においては、ダウンリンクフレーム中の全サブキャリアの３分の１を含むダウンリンク１／３サブキャリアゾーン（４１０）を使用してデータの送信を行い、基地局（２０１，２０２）の近傍に相当する第２のゾーンに存在する端末局に対する下り通信においては、前記ダウンリンクフレーム中の全サブキャリアを含むダウンリンク全サブキャリアゾーン（４１１）を使用してデータの送信を行い、
前記ダウンリンク１／３サブキャリアゾーンおよび／または前記ダウンリンク全サブキャリアゾーンを使用して送信された前記データに対して前記端末局でそれぞれ測定した第１および／または第２の通信品質測定結果を前記基地局に通知し、前記基地局において、前記第１および／または第２の通信品質測定結果に基づいて、次に送信すべきデータを、前記ダウンリンク１／３サブキャリアゾーンおよび前記ダウンリンク全サブキャリアゾーンの何れに割り当てるかを決定する無線通信方法であって、
前記第１の通信品質測定結果については、前記端末局から一定周期で前記基地局に通知を行い、
前記基地局は、
前記第１の通信品質測定結果が良好な場合は、前記第１の通信品質測定結果が通知される次のタイミング以降から、前記第２の通信品質測定結果も併せて通知するように、前記端末局を設定する、無線通信方法。
【請求項４】
前記基地局は、
前記第１の通信品質測定結果が良好でない場合であって、前記第２の通信品質測定結果も併せて通知するように前記端末局が設定されている場合は、当該設定を解除する、請求項３記載の無線通信方法。
【請求項５】
セルの端縁部に相当する第１のゾーンに存在する端末局（２１０）に対する下り通信においては、ダウンリンクフレーム中の全サブキャリアの３分の１を含むダウンリンク１／３サブキャリアゾーン（４１０）を使用してデータの送信を行い、基地局（２０１，２０２）の近傍に相当する第２のゾーンに存在する端末局に対する下り通信においては、前記ダウンリンクフレーム中の全サブキャリアを含むダウンリンク全サブキャリアゾーン（４１１）を使用してデータの送信を行い、
前記ダウンリンク１／３サブキャリアゾーンおよび／または前記ダウンリンク全サブキャリアゾーンを使用して送信された前記データに対して前記端末局でそれぞれ測定した第１および／または第２の通信品質測定結果を前記基地局に通知し、前記基地局において、前記第１および／または第２の通信品質測定結果に基づいて、次に送信すべきデータを、前記ダウンリンク１／３サブキャリアゾーンおよび前記ダウンリンク全サブキャリアゾーンの何れに割り当てるかを決定する無線通信方法であって、
前記第１および第２の通信品質測定結果について、前記端末局から同じ周期で前記基地局に通知を行い、
前記基地局は、
通知された前記第２の通信品質測定結果の変動量を算出し、前記変動量が予め定めた閾値以下である場合は、前記第１の通信品質測定結果が通知されるべき次のタイミング以降から、前記第１の通信品質測定結果の通知を停止するように、前記端末局を設定する、無線通信方法。
【請求項６】
前記基地局は、
前記変動量が予め定めた閾値を上回る場合であって、前記第１の通信品質測定結果の通知が停止されている場合は、前記第１の通信品質測定結果も併せて通知するように前記端末局を設定する、請求項５記載の無線通信方法。
【請求項７】
セルの端縁部に相当する第１のゾーンに存在する端末局（２１０）に対する下り通信においては、ダウンリンクフレーム中の全サブキャリアの３分の１を含むダウンリンク１／３サブキャリアゾーン（４１０）を使用してデータの送信を行い、基地局（２０１，２０２）の近傍に相当する第２のゾーンに存在する端末局に対する下り通信においては、前記ダウンリンクフレーム中の全サブキャリアを含むダウンリンク全サブキャリアゾーン（４１１）を使用してデータの送信を行い、
前記ダウンリンク１／３サブキャリアゾーンおよび／または前記ダウンリンク全サブキャリアゾーンを使用して送信された前記データに対して前記端末局でそれぞれ測定した第１および／または第２の通信品質測定結果を前記基地局に通知し、前記基地局において、前記第１および／または第２の通信品質測定結果に基づいて、次に送信すべきデータを、前記ダウンリンク１／３サブキャリアゾーンおよび前記ダウンリンク全サブキャリアゾーンの何れに割り当てるかを決定する無線通信方法であって、
前記第１の通信品質測定結果については、前記端末局から第１の周期で前記基地局に通知を行い、
前記第２の通信品質測定結果については、前記端末局から前記第１の周期よりも短い第２の周期で前記基地局に通知を行う、無線通信方法。
【請求項８】
セルの端縁部に相当する第１のゾーンに存在する端末局（２１０）に対する下り通信においては、ダウンリンクフレーム中の全サブキャリアの３分の１を含むダウンリンク１／３サブキャリアゾーン（４１０）を使用してデータの送信を行い、基地局（２０１，２０２）の近傍に相当する第２のゾーンに存在する端末局に対する下り通信においては、前記ダウンリンクフレーム中の全サブキャリアを含むダウンリンク全サブキャリアゾーン（４１１）を使用してデータの送信を行い、
前記ダウンリンク１／３サブキャリアゾーンおよび／または前記ダウンリンク全サブキャリアゾーンを使用して送信された前記データに対して前記端末局でそれぞれ測定した第１および／または第２の通信品質測定結果を前記基地局に通知し、前記基地局において、前記第１および／または第２の通信品質測定結果に基づいて、次に送信すべきデータを、前記ダウンリンク１／３サブキャリアゾーンおよび前記ダウンリンク全サブキャリアゾーンの何れに割り当てるかを決定する無線通信方法であって、
前記第１の通信品質測定結果については、前記端末局から一定周期で前記基地局に通知を行い、
前記基地局は、
前記端末局から、ダウンリンクフレーム中のヌルサブキャリア領域に含まれるパイロット信号の受信レベルの通知を受け、前記パイロット信号の受信レベルに基づいて他のセルの干渉を受けていると判定した場合は、前記第１の通信品質測定結果が通知される次のタイミング以降から、前記第２の通信品質測定結果も併せて通知するように、前記端末局を設定する、無線通信方法。
【請求項９】
前記基地局は
前記パイロット信号の受信レベルに基づいて前記他のセルの干渉を受けていない判定した場合であって、前記第２の通信品質測定結果も併せて通知するように前記端末局が設定されている場合は、当該設定を解除する、請求項８記載の無線通信方法。
【請求項１０】
セルの端縁部に相当する第１のゾーンに存在する端末局（２１０）に対する下り通信においては、ダウンリンクフレーム中の全サブキャリアの３分の１を含むダウンリンク１／３サブキャリアゾーン（４１０）を使用してデータの送信を行い、基地局（２０１，２０２）の近傍に相当する第２のゾーンに存在する端末局に対する下り通信においては、前記ダウンリンクフレーム中の全サブキャリアを含むダウンリンク全サブキャリアゾーン（４１１）を使用してデータの送信を行い、
前記ダウンリンク１／３サブキャリアゾーンおよび／または前記ダウンリンク全サブキャリアゾーンを使用して送信された前記データに対して前記端末局でそれぞれ測定した第１および／または第２の通信品質測定結果を前記基地局に通知し、前記基地局において、前記第１および／または第２の通信品質測定結果に基づいて、次に送信すべきデータを、前記ダウンリンク１／３サブキャリアゾーンおよび前記ダウンリンク全サブキャリアゾーンの何れに割り当てるかを決定する無線通信方法であって、
前記第１および第２の通信品質測定結果について、前記端末局から同じ周期で前記基地局に通知を行い、
前記基地局は、
ダウンリンクフレーム中の隣接基地局に関する情報を含むＮＢＲ−ＡＤＶメッセージ中の隣接基地局数が予め定めた閾値を下回る場合であって、前記第１の通信品質測定結果も併せて通知するように前記端末局が設定されている場合は、当該設定を解除する、無線通信方法。
【請求項１１】
前記基地局は、
前記隣接基地局数が予め定めた閾値以上である場合であって、前記第１の通信品質測定結果の通知が停止されている場合は、前記第１の通信品質測定結果も併せて通知するように前記端末局を設定する、請求項１０記載の無線通信方法。
【請求項１２】
セルの端縁部に相当する第１のゾーンに存在する端末局（２１０）に対する下り通信においては、ダウンリンクフレーム中の全サブキャリアの３分の１を含むダウンリンク１／３サブキャリアゾーン（４１０）を使用してデータの送信を行い、基地局（２０１，２０２）の近傍に相当する第２のゾーンに存在する端末局に対する下り通信においては、前記ダウンリンクフレーム中の全サブキャリアを含むダウンリンク全サブキャリアゾーン（４１１）を使用してデータの送信を行い、
前記ダウンリンク１／３サブキャリアゾーンおよび／または前記ダウンリンク全サブキャリアゾーンを使用して送信された前記データに対して前記端末局でそれぞれ測定した第１および／または第２の通信品質測定結果を前記基地局に通知し、前記基地局において、前記第１および／または第２の通信品質測定結果に基づいて、次に送信すべきデータを、前記ダウンリンク１／３サブキャリアゾーンおよび前記ダウンリンク全サブキャリアゾーンの何れに割り当てるかを決定する無線通信方法であって、
前記第１および第２の通信品質測定結果について、前記端末局から同じ周期で前記基地局に通知を行い、
前記基地局は、自らが有する適応変調および符号化機能で割り当てる変調度が予め定めた閾値以上となる場合であって、前記第１の通信品質測定結果も併せて通知するように前記端末局が設定されている場合は、当該設定を解除する、無線通信方法。
【請求項１３】
前記基地局は、
前記変調度が予め定めた閾値を下回る場合であって、前記第１の通信品質測定結果の通知が停止されている場合は、前記第１の通信品質測定結果も併せて通知するように前記端末局を設定する、請求項１２記載の無線通信方法。
【請求項１４】
前記第１および第２の通信品質測定結果は、前記端末局から前記基地局に対する上り通信のアップリンクフレーム中のファストフィードバック領域に設定された、通信品質情報を送るためのＣＱＩＣＨ（Channel Quality Information CHannel）を使用して通知される、請求項３、５、７、８、１０および１２の何れかに記載の無線通信方法。
【発明の詳細な説明】
【技術分野】
【０００１】
本発明は無線通信方法に関し、特にＦＦＲ（Fractional Frequency Reuse）方式の無線通信方法に関する。
【背景技術】
【０００２】
ＩＥＥＥ  ８０２．１６ａ、ＩＥＥＥ  ８０２．１６ｄの両規格を整理・統合したＩＥＥＥ  ８０２．１６−２００４規格はＷｉＭＡＸ（Worldwide Interoperability for Microwave Access）と呼称されるが、ＷｉＭＡＸは電波干渉に弱いため、セル間干渉を抑えるＦＦＲ（Fractional Frequency Reuse）方式を使用することが検討され、例えば、非特許文献１の４．２項には、モバイルＷｉＭＡＸにＦＦＲ方式を適用する場合のフレーム構成等が開示されている。【０００３】
また、ＷｉＭＡＸでは、通信品質情報を基地局に通知するために、フレーム中にＣＱＩＣＨ（Channel Quality Information CHannel）と呼称される専用の領域を設けており、そのことは非特許文献２の６．３．１８．２項に開示されている。【０００４】
【非特許文献１】Mobile WiMAX-Part I:A Technical Overview and Performance Evaluation （4.2 Fractional Frequency Reuse）,August,2006,Wimax FORUM
【非特許文献２】IEEE Std 802.16eTM-2005 （6.3.18.2 Periodic CINR report with fast-feedback （CQICH）channel）
【発明の開示】
【発明が解決しようとする課題】
【０００５】
上述のように、ＷｉＭＡＸにＦＦＲ方式を適用することで電波干渉に強いシステムを得ることができるが、ＦＦＲ方式を適用した場合にＣＱＩＣＨを使用して通信品質を通知する方法については確定した技術が存在していなかった。【０００６】
本発明は上記のような問題点を解消するためになされたもので、ＷｉＭＡＸにＦＦＲ方式を適用した場合のＣＱＩＣＨを使用して通信品質を通知する無線通信方法を提供することを目的とする。
【課題を解決するための手段】
【０００７】
本発明に係る無線通信方法の態様は、セルの端縁部に相当する第１のゾーンに存在する端末局に対する下り通信においては、ダウンリンクフレーム中の全サブキャリアの３分の１を含むダウンリンク１／３サブキャリアゾーンを使用してデータの送信を行い、基地局の近傍に相当する第２のゾーンに存在する端末局に対する下り通信においては、前記ダウンリンクフレーム中の全サブキャリアを含むダウンリンク全サブキャリアゾーンを使用してデータの送信を行い、前記ダウンリンク１／３サブキャリアゾーンおよび／または前記ダウンリンク全サブキャリアゾーンを使用して送信された前記データに対して前記端末局でそれぞれ測定した第１および／または第２の通信品質測定結果を前記基地局に通知し、前記基地局において、前記第１および／または第２の通信品質測定結果に基づいて、次に送信すべきデータを、前記ダウンリンク１／３サブキャリアゾーンおよび前記ダウンリンク全サブキャリアゾーンの何れに割り当てるかを決定する無線通信方法であって、前記第１の通信品質測定結果については、前記端末局から一定周期で前記基地局に通知を行い、前記基地局は、前記第１の通信品質測定結果が良好な場合は、前記第２の通信品質測定結果の通知を前記端末局に要求する。
【発明の効果】
【０００８】
本発明に係る無線通信方法の態様によれば、通信品質測定結果を通知するためのチャネルを、１／３サブキャリアゾーンと、全サブキャリアゾーンとで使い分けることにより、通信品質測定結果を通知するためのトラフィックを削減できる。また、第１の通信品質測定結果が良好な場合にのみ、第２の通信品質測定結果を要求するように構成することで、通信品質測定結果を通知するためのトラフィックをさらに削減できる。【０００９】
この発明の目的、特徴、局面、および利点は、以下の詳細な説明と添付図面とによって、より明白となる。
【図面の簡単な説明】
【００１０】
【図１】１セル１セグメント方式での周波数割り当ての構成を説明する図である。
【図２】測定した通信品質をＣＱＩＣＨを使用して通知する方法を説明する概念図である。
【図３】フレーム構造を説明する図である。
【図４】フレーム構造を説明する図である。
【図５】本発明に係る実施の形態１の無線通信方法を説明する概念図である。
【図６】本発明に係る実施の形態１の無線通信方法におけるフレーム構造を説明する図である。
【図７】本発明に係る実施の形態１の無線通信方法におけるフレーム構造を説明する図である。
【図８】本発明に係る実施の形態１の無線通信方法における通信品質情報の通知シーケンスを示す図である。
【図９】本発明に係る実施の形態１の無線通信方法を説明するフローチャートである。
【図１０】本発明に係る実施の形態２の無線通信方法を説明する概念図である。
【図１１】本発明に係る実施の形態２の無線通信方法におけるフレーム構造を説明する図である。
【図１２】本発明に係る実施の形態２の無線通信方法におけるフレーム構造を説明する図である。
【図１３】本発明に係る実施の形態２の無線通信方法を説明するフローチャートである。
【図１４】本発明に係る実施の形態３の無線通信方法を説明するフローチャートである。
【図１５】本発明に係る実施の形態４の無線通信方法を説明する概念図である。
【図１６】本発明に係る実施の形態５の無線通信方法におけるフレーム構造を説明する図である。
【図１７】本発明に係る実施の形態５の無線通信方法を説明するフローチャートである。
【図１８】本発明に係る実施の形態６の無線通信方法を説明するフローチャートである。
【図１９】本発明に係る実施の形態７の無線通信方法を説明するフローチャートである。
【発明を実施するための最良の形態】
【００１１】
＜発明の経緯＞
本発明の実施の形態の説明に先立って、図１〜図４を用いて本発明に至る経緯について説明する。【００１２】
図１は、１セル１セグメントのＦＦＲ方式を説明する概念図である。１セル１セグメントのＦＦＲとは、セル端縁部に存在する端末に対しては全サブキャリアの３分の１だけを使用するセグメントをゾーンとして割り当てる方式を採り、セルごとに１つのセグメントを使用することで、隣接セル間での干渉を回避するものである。【００１３】
図１は３つのＦＦＲセルが隣接する領域を例に採り、１セル１セグメント方式での周波数割り当ての構成を説明する図である。【００１４】
図１に示すように、セル１、セル２およびセル３と呼称する３つのセルが円によって示され、互いの端縁部を重複させて配置されているが、各セルの端縁部においては使用するセグメントが異なるので、重複していても電波干渉を防止することができる。【００１５】
すなわち、セル１の端縁部においては、全サブキャリアのうち３分の１に相当するＦ１個のサブキャリアを使用する１／３サブキャリアゾーン（1/3 subcarrier Zone）１１１が割り当てられ、セル２の端縁部においては、全サブキャリアのうち３分の１に相当するＦ２個のサブキャリアを使用する１／３サブキャリアゾーン（1/3 subcarrier Zone）１１２が割り当てられ、セル３の端縁部においては、全サブキャリアのうち３分の１に相当するＦ３個のサブキャリアを使用する１／３サブキャリアゾーン（1/3 subcarrier Zone）１１３が割り当てられている。【００１６】
なお、セル１、セル２およびセル３のそれぞれの基地局（図示せず）近傍の領域においては全サブキャリア（Ｆ１＋Ｆ２＋Ｆ３）を使用する全サブキャリアゾーン（All use subcarrier Zone）１０１、１０２および１０３が割り当てられている。【００１７】
図２は、モバイルＷｉＭＡＸにＦＦＲ方式を適用した場合に、測定した通信品質をＣＱＩＣＨを使用して通知する方法について、発明者達が試験的に開発した方法を説明する概念図である。なお、図１に示した構成と同一の構成については同一の符号を付し、重複する説明は省略する。【００１８】
図２においては、セル１およびセル２を示し、それぞれの基地局２０１および２０２に対して、複数の端末局２１０からポーリングによるＣＱＩＣＨ（CQICH-POL（1）/（2））３０１を使用した通信品質測定チャネルで通信品質が通知される状態が示されている。【００１９】
また、図３には、基地局２０１から端末局２１０に対しての下り通信（ダウンリンク）ＤＬのフレーム構造と、端末局２１０から基地局２０１に対しての上り通信（アップリンク）ＵＬのフレーム構造とが示され、図４には、基地局２０２から端末局２１０に対しての下り通信（ダウンリンク）ＤＬのフレーム構造と、端末局２１０から基地局２０２に対しての上り通信（アップリンク）ＵＬのフレーム構造とが示されている。【００２０】
図３および図４において、ダウンリンクフレームは、ダウンリンク１／３サブキャリアゾーン（1/3 subcarrier Zone）４００、ヌル・サブキャリア領域（Null）４０１、ダウンリンク全サブキャリアゾーン（All use subcarrier Zone）４１１を有している。【００２１】
ダウンリンク１／３サブキャリア領域４００は、信号の同期を取るためのプリアンブル（Preamble）４００１、フレーム制御ヘッダ（ＦＣＨ）４００２、下りのリソース割り当て情報（ＤＬ−ＭＡＰ）４００３およびユーザーデータ割り当て領域（User Data）４００４を含んでいる。ここで、ダウンリンク１／３サブキャリアゾーン４００を第１ゾーンＺ１、ダウンリンク全サブキャリアゾーン４１１を第２ゾーンＺ２と呼称する。【００２２】
なお、ダウンリンク全サブキャリアゾーン４１１は、ユーザーデータ割り当て領域（User Data）であり、ポーリングによるＣＱＩＣＨ（CQICH-POL（2））で通知された通信品質に基づいてユーザーデータが割り当てられており、隣接セルからの干渉波がないゾーン（All use subcarrier Zone）の端末局２１０に対してはこのゾーンを使用してユーザーデータが送られる。また、ユーザーデータ割り当て領域４００４は、ポーリングによるＣＱＩＣＨ（CQICH-POL（1））で通知された通信品質に基づいてユーザーデータが割り当てられており、隣接セルから干渉波の影響があるゾーン（1/3 subcarrier Zone）の端末局２１０に対してはこのゾーンを使用してユーザーデータが送られる。なお、図３と図４とでは、１／３サブキャリア領域の位置が異なっているが、これは隣接基地局間での干渉を防ぐために周波数軸上で分離しているためである。【００２３】
また、図３および図４において、アップリンクフレームは、端末局が基地局に対して帯域要求やレンジングを行うためのレンジング領域（Ranging）４０３と、ポーリングによるＣＱＩＣＨが２チャネル（CQICH-POL（1）and（2））割り当てられるファストフィードバック領域（Fast Feed Back）４２０およびユーザーデータ割り当て領域４０６を有している。【００２４】
このように、発明者達が試験的に開発した、測定した通信品質をＣＱＩＣＨを使用して通知する方法においては、All use subcarrier Zoneおよび1/3 subcarrier Zoneのそれぞれの通信品質の通知を受けるため、アップリンクフレームのファストフィードバック領域４２０を使用して２チャネル分の通信品質通知チャネルを割り当てる必要があり、アップリンクフレームのユーザーデータ領域を消費し、アップリンクのスループットが低下する可能性があった。【００２５】
＜Ａ．実施の形態１＞
本発明に係る実施の形態１の無線通信方法について、モバイルＷｉＭＡＸへの適用を例に採って、図５〜図９を用いて説明する。【００２６】
図５は、実施の形態１に係る無線通信方法を説明する概念図である。なお、図２に示した構成と同一の構成については同一の符号を付し、重複する説明は省略する。【００２７】
図５においては、セル１およびセル２のそれぞれの基地局２０１および２０２に対して、複数の端末局２１０からポーリングによるＣＱＩＣＨ（CQICH-POL）と、リクエスト／レスポンスによるＣＱＩＣＨ（CQICH-RSPと）を使用した通信品質測定チャネル３００で通信品質が通知される状態が示されている。【００２８】
また、図６には、基地局２０１から端末局２１０に対しての下り通信（ダウンリンク）ＤＬのフレーム構造と、端末局２１０から基地局２０１に対しての上り通信（アップリンク）ＵＬのフレーム構造とが示され、図７には、基地局２０２から端末局２１０に対しての下り通信（ダウンリンク）ＤＬのフレーム構造と、端末局２１０から基地局２０２に対しての上り通信（アップリンク）ＵＬのフレーム構造とが示されている。【００２９】
図６および図７において、ダウンリンクフレームは、ダウンリンク１／３サブキャリアゾーン（1/3 subcarrier Zone）４００、ヌル・サブキャリア領域（Null）４０１、ダウンリンク全サブキャリアゾーン（All use subcarrier Zone）４０２を有し、ダウンリンク１／３サブキャリアゾーン４００は、信号の同期を取るためのプリアンブル（Preamble）４００１、フレーム制御ヘッダ（ＦＣＨ）４００２、下りのリソース割り当て情報（ＤＬ−ＭＡＰ）４００３およびユーザーデータ割り当て領域（User Data）４００４を含んでいる。ここで、ダウンリンク１／３サブキャリア領域４００を第１ゾーンＺ１、ダウンリンク全サブキャリアゾーン４０２を第２ゾーンＺ２と呼称する。なお、ヌル・サブキャリア領域４０１は、他のセルではデータ領域として使用されるが、自セル（本処理を行っている基地局に対応するセル）ではデータ領域として使用しない領域である。【００３０】
ダウンリンク全サブキャリアゾーン４０２は、ユーザーデータ割り当て領域（User Data）であり、リクエスト／レスポンスによるＣＱＩＣＨ（CQICH-RSP）で通知された通信品質に基づいてユーザーデータが割り当てられており、隣接セルからの干渉波がないゾーン（All use subcarrier Zone）の端末局２１０に対してはこのゾーンを使用してユーザーデータが送られる。【００３１】
また、ユーザーデータ割り当て領域４００４は、ポーリングによるＣＱＩＣＨ（CQICH-POL）で通知された通信品質に基づいてユーザーデータが割り当てられており、隣接セルから干渉波の影響があるゾーン（1/3 subcarrier Zone）の端末局２１０に対してはこのゾーンを使用してユーザーデータが送られる。【００３２】
また、図６および図７において、アップリンクフレームは、端末局が基地局に対して帯域要求やレンジングを行うためのレンジング領域（Ranging）４０３と、ポーリングによるＣＱＩＣＨが１チャネル（CQICH-POL）割り当てられるファストフィードバック領域（Fast Feed Back）４０４、リクエスト／レスポンスによるＣＱＩＣＨ（CQICH-RSP）を通知するためのＭＡＣ（Medium Access Control ）メッセージ領域（MAC Message）４０５およびユーザーデータ割り当て領域（User Data）４０６を有している。【００３３】
図８は通信品質情報の通知シーケンスを示す図である。図８においては、基地局２０１および２０２と、端末局２１０との間の通信を時系列に示しており、ダウンリンク１／３サブキャリアゾーン（1/3 subcarrier Zone）４００で送信したデータの通信品質測定結果（第１の通信品質測定結果）を通知するためのポーリングによる通信品質通知チャネル（CQICH-POL）に符号３１０を付して示し、ダウンリンク全サブキャリアゾーン４０２で送信したデータの通信品質結果を端末局に要求するためのリクエストメッセージ（CQICH-REQ）に符号３１１を付して示し、当該リクエストメッセージ（CQICH-REQ）３１１に応答して、ダウンリンク全サブキャリアゾーン４０２で送信したデータの通信品質結果（第２の通信品質測定結果）を通知するためのレスポンスメッセージ（CQICH-RSP）に符号３１２を付して示している。【００３４】
また、図９は実施の形態１の無線通信方法を示すフローチャートである。【００３５】
次に、実施の形態１の無線通信方法について、図１、図５〜７を参照しつつ、図８および図９を用いて説明する。【００３６】
ＦＦＲ方式は、隣接するセルが重複しセル間干渉の影響が大きい領域に対しては、図１を用いて説明したように各セルの１／３サブキャリアゾーン１１１、１１２および１１３を使用して基地局と端末局間で通信する。また、セルの中心部のセル間干渉が少ない領域に対しては、全サブキャリアゾーン１０１、１０２および１０３を使用して基地局と端末局間で通信を行う。【００３７】
この際、図５に示す基地局２０１および２０２では、ダウンリンク１／３サブキャリアゾーン４００およびダウンリンク全サブキャリアゾーン４０２で送信したデータの通信品質状態を通知する通信品質測定チャネル３００の情報に基づいて、通信品質状態が良いゾーンを端末局２１０に割り当てる。【００３８】
通信品質測定チャネル３００は、隣接セルと重複する領域で使用するダウンリンク１／３サブキャリアゾーン４００で送信したデータの通信品質については、アップリンクフレームの短周期で定期的な通知に使用されるファストフィードバック領域４０４を通知チャネルとして使用し、セルの中心近傍で通信品質が安定しているダウンリンク全サブキャリアゾーン４０２で送信したデータの通信品質については、基地局からの要求に対してのみ応答するタイプのＭＡＣメッセージ領域４０５を通知チャネルとして使用する。【００３９】
図８に示す通信品質情報の通知シーケンスでは、ＷｉＭＡＸシステムのフレーム周期が５ｍｓｅｃであることから、ダウンリンク１／３サブキャリアゾーン４００で送信したデータの通信品質の通知には、ポーリングによる通信品質通知チャネル（CQICH-POL）３１０を使用し、５ｍｓｅｃフレーム周期ごとに、端末局２１０から基地局２０１あるいは２０２へ通信品質測定結果を通知する。【００４０】
また、ダウンリンク全サブキャリアゾーン４０２で送信したデータの通信品質については、基地局２０１および２０２からリクエストメッセージ（CQICH-REQ）３１１を端末局２１０へ送信することで通信品質測定結果の通知を要求し、端末局２１０からは、アップリンクフレームのＭＡＣメッセージ領域４０５を使用して、通信品質通知チャネル（CQICH-RSP）３１２で通信品質測定結果を通知する。【００４１】
このように、通信品質測定結果を通知するためのチャネルを、１／３サブキャリアゾーンと、全サブキャリアゾーンとで使い分けることにより、通信品質測定結果を通知するためのトラフィックを削減できる。【００４２】
また、通信品質情報を基地局に通知するための専用の領域であるＣＱＩＣＨを通知チャネルとして使用することで効率的な通知が可能となる。【００４３】
次に、図９を用いて、実施の形態１の無線通信方法についてさらに説明する。【００４４】
基地局の起動により処理を開始すると、まず、ステップＳ１において、ダウンリンク１／３サブキャリアゾーン４００で送信したデータの通信品質測定結果を、ファストフィードバック領域４０４のポーリングによるＣＱＩＣＨ（CQICH-POL）を通知チャネルとして使用するように、端末局２１０に割り当てを設定する。【００４５】
また、基地局２０１および２０２では、通信品質通知チャネル（CQICH-POL）３１０で通知されたダウンリンク１／３サブキャリアゾーン４００の通信品質測定結果を受信する度に、通知された通信品質測定結果の判定処理を行う（ステップＳ２）。この処理では、予め定めた閾値と比較し、通信品質測定結果が閾値以上（通信品質が良い）の場合は、ダウンリンク全サブキャリアゾーン４０２で送信したデータの通信品質測定結果を、アップリンクフレームのＭＡＣメッセージ領域４０５を使用して、通信品質通知チャネル（CQICH-RSP）３１２で通知するようにリクエストメッセージ（CQICH-REQ）３１１を送る通知要求を行い（ステップＳ３）、次の通信品質測定結果を待つ。【００４６】
一方、ステップＳ２での判定処理の結果、通信品質測定結果が閾値を下回る場合は、次の通信品質測定結果を待つ。従って、図８に示した通信品質情報の通知シーケンスでは、通信品質通知チャネル（CQICH-POL）３１０は、５ｍｓｅｃ間隔で定期的に基地局２０１および２０２に送信されるが、リクエストメッセージ（CQICH-REQ）３１１は不定期であり、通信品質通知チャネル（CQICH-RSP）３１２は、リクエストメッセージ（CQICH-REQ）３１１が基地局２０１および２０２から送信された場合にのみ、端末局２１０から送信される構成となっている。【００４７】
このように、１／３サブキャリアゾーンの通信品質測定結果が良好な場合にのみ、全サブキャリアゾーンでの通信品質測定結果を要求するように構成することで、通信品質測定結果を通知するためのトラフィックをさらに削減できる。【００４８】
なお、通信品質の測定はＣＩＮＲ（Carrier to Interference-plus-Noise Ratio：搬送波電力対干渉・雑音電力比）の測定により行う。ＣＩＮＲの単位はｄＢ（デシベル）で表され、通常の通信状態では３０ｄＢ〜６ｄＢの範囲である。しかし、干渉波が高くなるとＣＩＮＲの値が低くなり、受信データに誤りが生じる。このため、ステップＳ２における判定処理での閾値は、受信データに誤りが生じないＣＩＮＲの値に設定される。具体的な値は、通信環境等を考慮して決められるが、上述した通常の通信状態の範囲内に設定することが現実的である。【００４９】
＜Ｂ．実施の形態２＞
本発明に係る実施の形態２の無線通信方法について、モバイルＷｉＭＡＸへの適用を例に採って、図１０〜図１３を用いて説明する。【００５０】
図１０は、実施の形態２に係る無線通信方法を説明する概念図である。なお、図２に示した構成と同一の構成については同一の符号を付し、重複する説明は省略する。【００５１】
図１０においては、セル１およびセル２のそれぞれの基地局２０１および２０２に対して、複数の端末局２１０からポーリングによるＣＱＩＣＨ（CQICH-POL（1）/（2））を使用した通信品質測定チャネル３０１で通信品質が通知される状態が示されている。【００５２】
また、図１１には、基地局２０１から端末局２１０に対しての下り通信ＤＬのフレーム構造と、端末局２１０から基地局２０１に対しての上り通信ＵＬのフレーム構造とが示され、図１２には、基地局２０２から端末局２１０に対しての下り通信ＤＬのフレーム構造と、端末局２１０から基地局２０２に対しての上り通信ＵＬのフレーム構造とが示されている。【００５３】
図１１および図１２において、ダウンリンクフレームは、ダウンリンク１／３サブキャリアゾーン（1/3 subcarrier Zone）４１０、ヌル・サブキャリア領域（Null）４０１、ダウンリンク全サブキャリアゾーン４１１を有し、ダウンリンク１／３サブキャリアゾーン４１０は、信号の同期を取るためのプリアンブル（Preamble）４１０１、フレーム制御ヘッダ（ＦＣＨ）４１０２、下りのリソース割り当て情報（ＤＬ−ＭＡＰ）４１０３およびユーザーデータ割り当て領域（User Data）４１０４を含んでいる。ここで、ダウンリンク１／３サブキャリア領域４１０を第１ゾーンＺ１、ダウンリンクユーザーデータ割り当て領域４１１を第２ゾーンＺ２と呼称する。【００５４】
ダウンリンク全サブキャリアゾーン４１１は、ユーザーデータ割り当て領域（User Data）であり、ポーリングによるによるＣＱＩＣＨ（CQICH-POL（2））で通知された通信品質に基づいてユーザーデータが割り当てられており、隣接セルからの干渉波がないゾーン（All use subcarrier Zone）の端末局２１０に対してはこのゾーンを使用してユーザーデータが送られる。また、ユーザーデータ割り当て領域４１０４は、ポーリングによるＣＱＩＣＨ（CQICH-POL（1））で通知された通信品質に基づいてユーザーデータが割り当てられており、隣接セルから干渉波の影響があるゾーン（1/3 subcarrier Zone）の端末局２１０に対してはこのゾーンを使用してユーザーデータが送られる。【００５５】
また、図１１および図１２において、アップリンクフレームは、端末局が基地局に対して帯域要求やレンジングを行うためのレンジング領域（Ranging）４０３と、ポーリングによるＣＱＩＣＨが１チャネル（CQICH-POL（1）and/or（2））割り当てられるファストフィードバック領域（Fast Feed Back）４１２およびユーザーデータ割り当て領域（User Data）４０６を有している。【００５６】
また、図１３は実施の形態２の無線通信方法を示すフローチャートである。【００５７】
次に、実施の形態２の無線通信方法について、図１０〜図１２を参照しつつ、図１３を用いて説明する。【００５８】
実施の形態１の無線通信方法においては、全サブキャリアゾーンでの通信品質測定結果は、基地局２０１および２０２からの要求に応じて端末局２１０から通知する構成としていたが、本実施の形態２においては、全サブキャリアゾーンでの通信品質測定結果もポーリングによる定期通知を使用するものとし、１／３サブキャリアゾーンでの通信品質測定結果に基づいて、全サブキャリアゾーンでの通信品質測定結果の通知の要、不要を切り替える構成としている。【００５９】
図１３に示すように、基地局の起動により処理を開始すると、まず、ステップＳ１１において、ダウンリンク１／３サブキャリアゾーン４１０で送信したデータの通信品質測定結果（第１の通信品質測定結果）を、ファストフィードバック領域４１２のポーリングによるＣＱＩＣＨ（CQICH-POL（1））を通知チャネルとして使用するように、端末局２１０に割り当てを設定する。【００６０】
また、基地局２０１および２０２では、通信品質通知チャネル（CQICH-POL（1））で通知されたダウンリンク１／３サブキャリアゾーン４１０の通信品質測定結果を受信する度に、通知された通信品質測定結果の判定処理を行う（ステップＳ１２）。この処理では、予め定めた閾値と比較し、通信品質測定結果が閾値以上（通信品質が良い）の場合は、ダウンリンク全サブキャリアゾーン４１１で送信したデータの通信品質測定結果（第２の通信品質測定結果）を、アップリンクフレームのファストフィードバック領域４１２のポーリングによるＣＱＩＣＨ（CQICH-POL（2））を通知チャネルとして使用するように、端末局２１０に割り当てを設定し（ステップＳ１３）、その後は次の通信品質測定結果を待つ。【００６１】
なお、通信品質情報を基地局に通知するための専用の領域であるＣＱＩＣＨを通知チャネルとして使用することで効率的な通知が可能となる。【００６２】
一方、ステップＳ１２での判定処理の結果、通信品質測定結果が閾値を下回る場合は、全サブキャリアゾーンでの通信品質測定結果の通知チャネルとして、アップリンクフレームのファストフィードバック領域４１２のポーリングによるＣＱＩＣＨ（CQICH-POL（2））を割り当て済みか否かの判定を行う（ステップＳ１４）。【００６３】
そして、ステップＳ１４で、ファストフィードバック領域４１２のポーリングによるＣＱＩＣＨ（CQICH-POL（2））を割り当て済みと判定された場合は、当該割り当てを解除する（ステップＳ１５）。割り当て解除を受けた端末局２１０は、直ちに通知を停止する。【００６４】
一方、ステップＳ１４での判定処理の結果、ダウンリンク全サブキャリアゾーン４１１で送信したデータの通信品質測定結果の通知チャネルとして、ファストフィードバック領域４１２のポーリングによるＣＱＩＣＨ（CQICH-POL（2））が割り当てられていないと判定された場合は、次の通信品質測定結果を待つ。【００６５】
以上説明したように、全サブキャリアゾーンでの通信品質測定結果もポーリングによる定期通知を使用するものとし、１／３サブキャリアゾーンでの通信品質測定結果に基づいて、全サブキャリアゾーンでの通信品質測定結果の通知の要、不要を切り替える構成とすることで、基地局２０１、２０２では上りの通信品質測定結果を通知するためのトラフィックを抑えつつ、 ダウンリンク１／３サブキャリアゾーン４１０で送信したデータの通信品質測定結果を短周期で効率よく受信できる効果が得られる。【００６６】
なお、ダウンリンク１／３サブキャリアゾーン４１０の通信品質測定結果が良好な場合は、ダウンリンク全サブキャリアゾーン４１１の通信品質測定結果がポーリングによるＣＱＩＣＨ（CQICH-POL（2））で通知されるので、結果として通信品質測定結果の通知のためにＣＱＩＣＨを２チャネル使用することもあるが、ダウンリンク１／３サブキャリアゾーン４１０の通信品質測定結果が悪い場合には、セル端縁部に端末局が位置している可能性があり、このような場合には、ダウンリンク全サブキャリアゾーン４１１の通信品質測定結果を要求しても無駄となるので、結果的にはＣＱＩＣＨの使用数を削減することができる。【００６７】
＜Ｃ．実施の形態３＞
本発明に係る実施の形態３の無線通信方法について、モバイルＷｉＭＡＸへの適用を例に採って、図１４を用いて説明する。なお、図１０に示した無線通信方法を説明する概念図および図１１および図１２に示した、下り通信ＤＬのフレーム構造、上り通信ＵＬのフレーム構造については実施の形態２と同じであり、以下の説明ではこれらの図を参照しながら行う。【００６８】
実施の形態２の無線通信方法では、１／３サブキャリアゾーンでの通信品質測定結果が予め定めた閾値以上となった場合に、全サブキャリアゾーンの通信品質測定結果を通知するように構成していたが、本実施の形態３においては、全サブキャリアゾーンの通信品質測定結果の安定度に基づいて、１／３サブキャリアゾーンでの通信品質測定結果の通知の要否を切り替える構成とする。【００６９】
すなわち、図１４に示すように、基地局の起動により処理を開始すると、まず、ステップＳ２１において、ダウンリンク１／３サブキャリアゾーン４１０で送信したデータの通信品質測定結果と、ダウンリンク全サブキャリアゾーン４１１で送信したデータの通信品質測定結果とを、アップリンクのファストフィードバック領域４１２のポーリングによるＣＱＩＣＨ（CQICH-POL（1）および(2)）を通知チャネルとして使用するように、端末局２１０に割り当てを設定する。【００７０】
基地局２０１および２０２では、通信品質通知チャネル（CQICH-POL（2））で通知されたダウンリンク全サブキャリアゾーン４１１で送信したデータの通信品質測定結果を受信する度に、通知された通信品質測定結果の判定処理を行う（ステップＳ２２）。この処理では、予め定めた閾値と比較し、通信品質測定結果が閾値以上（通信品質が良い）の場合はステップＳ２３の処理に進む。一方、ステップＳ２２での判定処理の結果、通信品質測定結果が閾値を下回る場合は、次の通信品質測定結果を待つ。【００７１】
ステップＳ２３では、ダウンリンク全サブキャリアゾーン４１１で送信したデータの通信品質測定結果の変動量を求め、通信品質測定結果の安定度を判定する。すなわち、ステップＳ２３では、前回の通信品質通知値と現在の通信品質通知値との差分を計算し、当該差分が予め定めた閾値以下（変動量小）の場合は、通信品質測定結果が安定していると判定し、次のステップＳ２４の処理に進む。【００７２】
ステップＳ２４では、ダウンリンク１／３サブキャリアゾーン４１０で送信したデータの通信品質測定結果の通知チャネルである、アップリンクフレームのファストフィードバック領域４１２のポーリングによるＣＱＩＣＨ（CQICH-POL（1））の割り当てを解除する。その後は次の通信品質測定結果を待つ。割り当て解除を受けた端末局２１０は、１／３サブキャリアゾーンの通信品質測定結果の次回以降の通知タイミングから、１／３サブキャリアゾーンの通信品質測定結果の通知を停止する。【００７３】
一方、ステップＳ２３での判定処理の結果、前回の通信品質通知値と現在の通信品質通知値との差分が、閾値を越えた（変動量大）場合は、ダウンリンク１／３サブキャリアゾーン４１０で送信したデータの通信品質測定結果の通知チャネルとして、アップリンクフレームのファストフィードバック領域４１２のポーリングによるＣＱＩＣＨ（CQICH-POL（1））を割り当て済みか否かの判定を行う（ステップＳ２５）。【００７４】
ここで、先に説明したように通信品質の測定はＣＩＮＲの測定により行うので、通信品質通知値にはＣＩＮＲ値を使用する。従って、通信品質測定結果の安定度の判定には、ＣＩＮＲ値を使用し、前回のＣＩＮＲ値との差分が例えば±３ｄＢ以内なら安定であるなどの判定を行う。【００７５】
そして、ステップＳ２５で、ファストフィードバック領域４１２のポーリングによるＣＱＩＣＨ（CQICH-POL（1））を割り当て済みと判定された場合は、次の通信品質測定結果を待つ。【００７６】
一方、ステップＳ２５で、ポーリングによるＣＱＩＣＨ（CQICH-POL（1））が未割り当てと判定された場合は、ダウンリンク１／３サブキャリアゾーン４１０で送信したデータの通信品質測定結果の通知に、アップリンクフレームのファストフィードバック領域４１２のポーリングによるＣＱＩＣＨ（CQICH-POL（1））を通知チャネルとして使用するように、端末局２１０に割り当てを設定し（ステップＳ２６）、次の通信品質測定結果を待つ。【００７７】
以上説明したように、ダウンリンク全サブキャリアゾーン４１１で送信したデータの通信品質測定結果の安定度を判定し、安定している場合には、アップリンクフレームのファストフィードバック領域４１２のポーリングによるＣＱＩＣＨ（CQICH-POL（1））の割り当てを解除するので、基地局２０１、２０２では上りの通信品質測定結果を通知するためのトラフィックを抑えることができる。また、ダウンリンク全サブキャリアゾーン４１１で送信したデータの通信品質測定結果が安定していない場合には、ダウンリンク１／３サブキャリアゾーン４１０で送信したデータの通信品質測定結果の通知を受けるようにするので、隣接セルからの干渉に対して信品質測定方法の切り替えで対応することができ、伝播路の瞬時的な変動により発生する通信品質劣化による影響を回避することができる。【００７８】
＜Ｄ．実施の形態４＞
本発明に係る実施の形態４の無線通信方法について、モバイルＷｉＭＡＸへの適用を例に採って、図１５を用いて説明する。なお、図１０に示した無線通信方法を説明する概念図および図１１および図１２に示した、下り通信ＤＬのフレーム構造、上り通信ＵＬのフレーム構造については実施の形態２と同じであり、以下の説明ではこれらの図を参照しながら行う。【００７９】
図１５は、実施の形態４の無線通信方法を示す概念図であり、マルチフレームを用いた無線通信方法を説明する図である。【００８０】
図１５において、フレーム４６０はフレーム番号（ＦＮ＝）ｎの５ｍｓｅｃフレーム、フレーム４６１はフレーム番号（ＦＮ＝）ｎ＋１の５ｍｓｅｃフレーム、フレーム４６２はフレーム番号（ＦＮ＝）ｎ＋２の５ｍｓｅｃフレーム、フレーム４６３はフレーム番号ｎ＋３の５ｍｓｅｃフレーム、フレーム４６４はフレーム番号ｎ＋４の５ｍｓｅｃフレーム、フレーム４６５はフレーム番号ｎ＋５の５ｍｓｅｃフレーム、フレーム４６６はフレーム番号ｎ＋６の５ｍｓｅｃフレームである。【００８１】
そして、フレーム４６０、４６２、４６４および４６６は、ダウンリンクサブフレーム４５１とアップリンクサブフレーム４５２とで構成され、フレーム４６１および４６５は、ダウンリンクサブフレーム４５１とアップリンクサブフレーム４５２とで構成され、フレーム４６３は、ダウンリンクサブフレーム４５１とアップリンクサブフレーム４５４とで構成されている。【００８２】
ここで、アップリンクサブフレーム４５２は、全サブキャリアゾーンの通信品質をポーリングによるＣＱＩＣＨ（CQICH-POL（2））で通知するファストフィードバック領域４１２を含んでおり、アップリンクサブフレーム４５３は、１／３サブキャリアゾーンの通信品質をポーリングによるＣＱＩＣＨ（CQICH-POL（1））で通知するファストフィードバック領域４１２を含んでいる。なお、アップリンクサブフレーム４５４では、通信品質の通知を行わない。【００８３】
次に、図１５を用いて動作について説明する。実施の形態３の無線通信方法では、ダウンリンク全サブキャリアゾーン４１１で送信したデータの通信品質測定結果に基づいて、１／３サブキャリアゾーンの通信品質の通知の要否を切り替える構成を採っていたが、図１５に示すように、ダウンリンク全サブキャリアゾーン４１１で送信したデータの通信品質測定結果の通知周期と、ダウンリンク１／３サブキャリアゾーン４１０で送信したデータの通信品質測定結果の通知周期とを固定とすることで、通信品質測定方法の切り替え処理を簡易化できる効果が得られる。【００８４】
すなわち、図１５に示すように、ダウンリンク全サブキャリアゾーン４１１で送信したデータの通信品質測定結果は、例えばフレーム番号ｎ、ｎ＋２、ｎ＋４、ｎ＋６のアップリンクサブフレーム４５２のCQICH-POL（2）で通知し、ダウンリンク１／３サブキャリアゾーン４１０で送信したデータの通信品質測定結果は、例えばフレーム番号ｎ＋１、ｎ＋５のアップリンクサブフレーム４５３のCQICH-POL（1）で通知する。【００８５】
このように、隣接セルからの干渉の可能性がある全サブキャリアゾーンでの通信品質測定結果については比較的短周期で通知し、隣接セルからの干渉の影響がない１／３サブキャリアゾーンでの通信品質測定結果については比較的長周期で通信品質測定結果を通知するようにしたので、基地局２０１、２０２では上りの通信品質測定結果を通知するためのトラフィックを抑えることができる。また、全サブキャリアゾーンについても１／３サブキャリアゾーンについても、定期的に通信品質測定結果を通知するようにしたので、通信品質測定方法の切り替えについて、種々の判定処理や、当該判定を行うための閾値等の設定が不要となるので、通信品質測定方法の切り替え処理を簡易化できる。【００８６】
＜Ｅ．実施の形態５＞
本発明に係る実施の形態５の無線通信方法について、モバイルＷｉＭＡＸへの適用を例に採って、図１６および図１７を用いて説明する。なお、図１０に示した無線通信方法を説明する概念図および図１１および図１２に示した、下り通信ＤＬのフレーム構造、上り通信ＵＬのフレーム構造については実施の形態２と同じであり、以下の説明ではこれらの図を参照しながら行う。【００８７】
図１６には、基地局２０２から端末局２１０に対しての下り通信ＤＬのフレーム構造と、端末局２１０から基地局２０１に対しての上り通信ＵＬのフレーム構造とが示されているが、これは図１２に示したフレーム構造と同じであり、重複する説明は省略する。【００８８】
図１７は、実施の形態５の無線通信方法を示すフローチャートである。【００８９】
次に、実施の形態５の無線通信方法について、図１６および図１７を用いて説明する。【００９０】
実施の形態３の無線通信方法においては、全サブキャリアゾーン４１１で送信したデータの通信品質測定結果に基づいて、１／３サブキャリアゾーンの通信品質の通知の要否を切り替える構成を採っていたが、実施の形態５では、ヌル・サブキャリア領域４０１に含まれるパイロット信号の受信レベルにより、全サブキャリアゾーン４１１で送信したデータの通信品質測定結果の通知の要否を切り替える構成を採っている。【００９１】
すなわち、図１７に示すように、基地局の起動により処理を開始すると、まず、ステップＳ３１において、ダウンリンク１／３サブキャリアゾーン４１０で送信したデータの通信品質測定結果を、アップリンクのファストフィードバック領域４１２のポーリングによるＣＱＩＣＨ（CQICH-POL（1））を通知チャネルとして使用するように、端末局に割り当てを設定する。【００９２】
また、基地局では、ヌル・サブキャリア領域４０１のパイロット信号の受信レベルが端末局から通知される度に、通知されたパイロット信号の受信レベルの判定処理を行う（ステップＳ３２）。すなわち、ＯＦＤＭＡ（直交波周波数分割多元接続：Orthogonal Frequency Division Multiplexing Access）方式では、伝送路を推定するための特定パターンのパイロット信号をフレームに挿入しており、ＤＬフレームの場合、このパイロット信号は送信データの有無に関係なく常に基地局から送信されており、干渉電力の測定に有効である。【００９３】
この処理では、予め定めた閾値と比較し、通知されたパイロット信号の受信レベルが閾値以上（隣接セルの干渉あり）の場合はステップＳ３３の処理に進む。ここで、パイロット信号の受信レベルはｄＢｍ単位で表され、上記閾値はセル設計で決定される自セル（本処理を行っている基地局に対応するセル）の最小受信電力を例えば−９０ｄＢｍと仮定した場合、−１００ｄＢｍ以上のパイロット信号が測定された場合は干渉があったと判定するように設定する。【００９４】
ステップＳ３３では、ダウンリンク全サブキャリアゾーン４１１で送信したデータの通信品質測定結果を、アップリンクフレームのファストフィードバック領域４１２のポーリングによるＣＱＩＣＨ（CQICH-POL（2））を通知チャネルとして使用するように、端末局２１０に割り当てを設定し、その後は、次の通信品質測定結果を待つ。【００９５】
一方、ステップＳ３２での判定処理の結果、パイロット信号の受信レベルが閾値を下回る場合は、全サブキャリアゾーンでの通信品質測定結果の通知チャネルとして、アップリンクフレームのファストフィードバック領域４１２のポーリングによるＣＱＩＣＨ（CQICH-POL（2））を割り当て済みか否かの判定を行う（ステップＳ３４）。【００９６】
そして、ステップＳ３４で、ファストフィードバック領域４１２のポーリングによるＣＱＩＣＨ（CQICH-POL（2））を割り当て済みと判定された場合は、当該割り当てを解除する（ステップＳ３５）。【００９７】
一方、ステップＳ３４での判定処理の結果、ダウンリンク全サブキャリアゾーン４１１で送信したデータの通信品質測定結果の通知チャネルとして、ファストフィードバック領域４１２のポーリングによるＣＱＩＣＨ（CQICH-POL（2））が割り当てられていないと判定された場合は、次の通信品質測定結果を待つ。【００９８】
このように、ヌル・サブキャリア領域４０１のパイロット信号の受信レベルにより、全サブキャリアゾーン４１１で送信したデータの通信品質測定結果の通知の要否を切り替える構成を採ることで、隣接セルの干渉波レベルを通知の要否の判定基準として使用することが可能となり、通信品質測定方法の切り替え精度が向上する。【００９９】
＜Ｆ．実施の形態６＞
本発明に係る実施の形態６の無線通信方法について、モバイルＷｉＭＡＸへの適用を例に採って、図１８を用いて説明する。なお、図１０に示した無線通信方法を説明する概念図および図１１および図１２に示した、下り通信ＤＬのフレーム構造、上り通信ＵＬのフレーム構造については実施の形態２と同じであり、以下の説明ではこれらの図を参照しながら行う。【０１００】
実施の形態３の無線通信方法においては、全サブキャリアゾーン４１１で送信したデータの通信品質測定結果に基づいて、１／３サブキャリアゾーンの通信品質の通知の要否を切り替える構成を採っていたが、実施の形態６では、基地局２０１および２０２から端末局２１０に送信するＮＢＲ−ＡＤＶ（Neighbor Advertisement）メッセージ中に含まれる隣接基地局数の情報に基づいて、１／３サブキャリアゾーンでの通信品質測定結果の通知の要否を切り替える構成とする。【０１０１】
すなわち、図１８に示すように、基地局の起動により処理を開始すると、まず、ステップＳ４１において、ダウンリンク１／３サブキャリアゾーン４１０で送信したデータの通信品質測定結果と、ダウンリンク全サブキャリアゾーン４１１で送信したデータの通信品質測定結果とを、アップリンクのファストフィードバック領域４１２のポーリングによるＣＱＩＣＨ（CQICH-POL（1）および(2)）を通知チャネルとして使用するように、端末局２１０に割り当てを設定する。【０１０２】
また、基地局２０１および２０２では、端末局２１０に送信するＮＢＲ−ＡＤＶメッセージ中に含まれる隣接基地局数の情報を、予め定めた閾値と比較し、当該閾値以下（隣接する基地局の数が少ない）の場合はステップＳ４３の処理に進む。すなわち、ＮＢＲ−ＡＤＶメッセージは、基地局からのＤＬフレーム中に含まれ、隣接セルに関する情報を含む近隣広告メッセージであって、端末局には例えば３０秒周期で送信される。従って、上記閾値は、例えば、隣接基地局数が２以下であれば隣接する基地局の数が少ないと判定するように設定するが、この数値に限定されるものではない。【０１０３】
ステップＳ４３では、ダウンリンク１／３サブキャリアゾーン４１０で送信したデータの通信品質測定結果の通知チャネルである、アップリンクフレームのファストフィードバック領域４１２のポーリングによるＣＱＩＣＨ（CQICH-POL（1））の割り当てを解除する。その後は次の通信品質測定結果を待つ。割り当て解除を受けた端末局２１０は、１／３サブキャリアゾーンの通信品質測定結果の次回以降の通知タイミングから、１／３サブキャリアゾーンの通信品質測定結果の通知を停止する。【０１０４】
一方、ステップＳ４２での判定処理の結果、閾値以上（隣接する基地局の数が多い）の場合は、ダウンリンク１／３サブキャリアゾーン４１０で送信したデータの通信品質測定結果の通知チャネルとして、アップリンクフレームのファストフィードバック領域４１２のポーリングによるＣＱＩＣＨ（CQICH-POL（1））を割り当て済みか否かの判定を行う（ステップＳ４４）。【０１０５】
そして、ステップＳ４４で、ファストフィードバック領域４１２のポーリングによるＣＱＩＣＨ（CQICH-POL（1））を割り当て済みと判定された場合は、次の通信品質測定結果を待つ。【０１０６】
一方、ステップＳ４４で、ポーリングによるＣＱＩＣＨ（CQICH-POL（1））が未割り当てと判定された場合は、ダウンリンク１／３サブキャリアゾーン４１０で送信したデータの通信品質測定結果の通知に、アップリンクフレームのファストフィードバック領域４１２のポーリングによるＣＱＩＣＨ（CQICH-POL（1））を通知チャネルとして使用するように、端末局２１０に割り当てを設定し（ステップＳ４５）、次の通信品質測定結果を待つ。【０１０７】
以上説明したように、ＮＢＲ−ＡＤＶ（Neighbor Advertisement）メッセージ中に含まれる隣接基地局数の情報に基づいて、１／３サブキャリアゾーンでの通信品質測定結果の通知の要否を切り替える構成を採ることで、切り替えの判定を行うための閾値等の設定が容易となり、通信品質測定方法の切り替え処理を簡易化できる。【０１０８】
＜Ｇ．実施の形態７＞
本発明に係る実施の形態７の無線通信方法について、モバイルＷｉＭＡＸへの適用を例に採って、図１９を用いて説明する。なお、図１０に示した無線通信方法を説明する概念図および図１１および図１２に示した、下り通信ＤＬのフレーム構造、上り通信ＵＬのフレーム構造については実施の形態２と同じであり、以下の説明ではこれらの図を参照しながら行う。【０１０９】
実施の形態３の無線通信方法においては、全サブキャリアゾーン４１１で送信したデータの通信品質測定結果に基づいて、１／３サブキャリアゾーンの通信品質の通知の要否を切り替える構成を採っていたが、実施の形態７では、基地局２０１および２０２のＡＭＣ（適応変調および符号化：Adaptiv Modulation and Coding）機能で割り当てる変調度に基づいて、１／３サブキャリアゾーンでの通信品質測定結果の通知の要否を切り替える構成とする。【０１１０】
すなわち、図１９に示すように、基地局の起動により処理を開始すると、まず、ステップＳ５１において、ダウンリンク１／３サブキャリアゾーン４１０で送信したデータの通信品質測定結果と、ダウンリンク全サブキャリアゾーン４１１で送信したデータの通信品質測定結果とを、アップリンクのファストフィードバック領域４１２のポーリングによるＣＱＩＣＨ（CQICH-POL（1）および(2)）を通知チャネルとして使用するように、端末局２１０に割り当てを設定する。【０１１１】
また、基地局２０１および２０２では、ＡＭＣ機能で割り当てられた変調度を、予め定めた閾値と比較し、当該閾値以上（通信品質が良い）の場合はステップＳ５３の処理に進む。すなわち、ＡＭＣ機能とは、例えばＣＩＮＲで定義される通信品質により、予め各変調度に対応したＣＩＮＲテーブルに基づいて最適な変調度を選択する機能であり、変調度の切り替えは、基地局がＣＱＩＣＨでの報告周期（例えば５ｍｓｅｃ）で報告されたＣＩＮＲから決定し、変調度を切り替える。従って、上記閾値は、予め定められたＣＩＮＲテーブルから選ばれるが、何れを選ぶかについては、通信環境を考慮して決められることになる。【０１１２】
ステップＳ５３では、ダウンリンク１／３サブキャリアゾーン４１０で送信したデータの通信品質測定結果の通知チャネルである、アップリンクフレームのファストフィードバック領域４１２のポーリングによるＣＱＩＣＨ（CQICH-POL（1））の割り当てを解除する。その後は次の通信品質測定結果を待つ。【０１１３】
一方、ステップＳ５２での判定処理の結果、変調度が閾値を下回る（通信品質が悪い）と判定された場合は、ダウンリンク１／３サブキャリアゾーン４１０で送信したデータの通信品質測定結果の通知チャネルとして、アップリンクフレームのファストフィードバック領域４１２のポーリングによるＣＱＩＣＨ（CQICH-POL（1））を割り当て済みか否かの判定を行う（ステップＳ５４）。【０１１４】
そして、ステップＳ５４で、ファストフィードバック領域４１２のポーリングによるＣＱＩＣＨ（CQICH-POL（1））を割り当て済みと判定された場合は、次の通信品質測定結果を待つ。【０１１５】
一方、ステップＳ５４で、ポーリングによるＣＱＩＣＨ（CQICH-POL（1））が未割り当てと判定された場合は、ダウンリンク１／３サブキャリアゾーン４１０で送信したデータの通信品質測定結果の通知に、アップリンクフレームのファストフィードバック領域４１２のポーリングによるＣＱＩＣＨ（CQICH-POL（1））を通知チャネルとして使用するように、端末局２１０に割り当てを設定し（ステップＳ５５）、次の通信品質測定結果を待つ。【０１１６】
以上説明したように、ＡＭＣ機能で割り当てる変調度に基づいて、１／３サブキャリアゾーンでの通信品質測定結果の通知の要否を切り替える構成を採ることで、ＡＭＣ機能による影響を考慮した通信品質測定方法の切り替え処理が可能となる。【０１１７】
この発明は詳細に説明されたが、上記した説明は、すべての局面において、例示であって、この発明がそれに限定されるものではない。例示されていない無数の変形例が、この発明の範囲から外れることなく想定され得るものと解される。
【図１】
2010086975.tif 000003
【図２】
2010086975.tif 000004
【図３】
2010086975.tif 000005
【図４】
2010086975.tif 000006
【図５】
2010086975.tif 000007
【図６】
2010086975.tif 000008
【図７】
2010086975.tif 000009
【図８】
2010086975.tif 000010
【図９】
2010086975.tif 000011
【図１０】
2010086975.tif 000012
【図１１】
2010086975.tif 000013
【図１２】
2010086975.tif 000014
【図１３】
2010086975.tif 000015
【図１４】
2010086975.tif 000016
【図１５】
2010086975.tif 000017
【図１６】
2010086975.tif 000018
【図１７】
2010086975.tif 000019
【図１８】
2010086975.tif 000020
【図１９】
2010086975.tif 000021
【国際調査報告】
2010086975.tif 000022
2010086975.tif 000023